Podtech/llm-jp-corpus-v4-ja_patent huggingface dataset:
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
動画信号に関連する音声信号を処理する音声処理装置であって、
前記音声信号に応じた増幅率で前記音声信号のレベルを調整する調整手段と、
前記動画信号に対応する動画に人間の特徴を示す画像が含まれるか否かを検出する検出手段
とを有し、
前記調整手段は、前記検出手段により前記人間の特徴を示す画像が含まれると検出されている期間の動画に対応する音声信号を処理するときは、前記検出手段により前記人間の特徴を示す画像が含まれると検出されていない期間の動画に対応する音声信号を処理するときよりも前記増幅率の変化速度を速くする
ことを特徴とする音声処理装置。
【請求項２】
動画信号に関連する音声信号を処理する音声処理装置であって、
前記音声信号に応じた増幅率で前記音声信号のレベルを調整する調整手段と、
前記動画信号に対応する動画に人間の特徴を示す画像が含まれるか否かを検出する検出手段
とを有し、
前記調整手段は、前記検出手段により前記人間の特徴を示す画像が含まれると検出されていない期間の動画に対応する音声信号を処理するときは、前記検出手段により前記人間の特徴を示す画像が含まれると検出されている期間の動画に対応する音声信号を処理するときよりも前記増幅率の変化速度を遅くする
ことを特徴とする音声処理装置。
【請求項３】
画像信号を取得する画像取得手段と、
前記画像取得手段により得られた画像信号に基づいて動画信号を生成する生成手段と、
前記画像取得手段により得られた画像信号に人間の特徴を示す画像が含まれるか否かを検出する検出手段と、
音声信号を取得する音声取得手段と、
前記音声信号に応じた増幅率で前記音声信号のレベルを調整する調整手段と、
前記生成手段により生成された動画信号と前記調整手段により調整された音声信号とを関連付けて記録媒体に記録する記録手段
とを有し、
前記調整手段は、前記検出手段により前記人間の特徴を示す画像が含まれると検出された期間に取得された音声信号を処理するときは、前記検出手段により前記人間の特徴を示す画像が含まれると検出されていない期間に取得された音声信号を処理するときよりも前記増幅率の変化速度を速くする
ことを特徴とする音声処理装置。
【請求項４】
画像信号を取得する画像取得手段と、
前記画像取得手段により得られた画像信号に基づいて動画信号を生成する生成手段と、
前記画像取得手段により得られた画像信号に人間の特徴を示す画像が含まれるか否かを検出する検出手段と、
音声信号を取得する音声取得手段と、
前記音声信号に応じた増幅率で前記音声信号のレベルを調整する調整手段と、
前記生成手段により生成された動画信号と前記調整手段により調整された音声信号とを関連付けて記録媒体に記録する記録手段
とを有し、
前記調整手段は、前記検出手段により前記人間の特徴を示す画像が含まれると検出されていない期間に取得された音声信号を処理するときは、前記検出手段により前記人間の特徴を示す画像が含まれると検出されている期間に取得された音声信号を処理するときよりも前記増幅率の変化速度を遅くする
ことを特徴とする音声処理装置。
【請求項５】
前記調整手段は、前記増幅率の変化速度を徐々に変えることを特徴とする請求項１から４のいずれか１項に記載の音声処理装置。
【請求項６】
前記調整手段は、単位時間当たりの増幅率を制御することを特徴とする請求項１から５のいずれか１項に記載の音声処理装置。
【請求項７】
前記調整手段は、単位増幅率あたりの時間を制御することを特徴とする請求項１から５のいずれか１項に記載の音声処理装置。
【請求項８】
前記検出手段は、前記動画信号の動画の画像の輪郭強調した画像に、前記人間の特徴を示す画像と相関性の高い画像が含まれるか否かを検出することを特徴とする請求項１から７のいずれか１項に記載の音声処理装置。
【請求項９】
前記人間の特徴を示す画像は、前記人間の顔を示す画像であることを特徴とする請求項１から８のいずれか１項に記載の音声処理装置。
【請求項１０】
動画信号に関連する音声信号を処理する音声処理方法であって、
前記音声信号に応じた増幅率で前記音声信号のレベルを調整する調整工程において、
前記動画信号に対応する動画に人間の特徴を示す画像が含まれると検出されている期間の動画に対応する音声信号を処理するときは、前記動画信号に対応する動画に前記人間の特徴を示す画像が含まれないと検出されている期間の動画に対応する音声信号を処理するときよりも前記増幅率の変化速度を速くすることを特徴とする音声処理方法。
【請求項１１】
動画信号に関連する音声信号を処理する音声処理方法であって、
前記音声信号に応じた増幅率で前記音声信号のレベルを調整する調整工程において、
前記動画信号に対応する動画に人間の特徴を示す画像が含まれると検出されていない期間の動画に対応する音声信号を処理するときは、前記動画信号に対応する動画に前記人間の特徴を示す画像が含まれていると検出されている期間の動画に対応する音声信号を処理するときよりも前記増幅率の変化速度を遅くする
ことを特徴とする音声処理方法。
【請求項１２】
画像信号を取得する画像取得工程と、
前記画像取得工程で得られた画像信号に基づいて動画信号を生成する生成工程と、
前記画像取得工程で得られた画像信号に人間の特徴を示す画像が含まれるか否かを検出する検出工程と、
音声信号を取得する音声取得工程と、
前記音声信号に応じた増幅率で前記音声信号のレベルを調整する調整工程と、
前記生成工程で生成された動画信号と、前記調整工程で調整された音声信号とを関連付けて記録媒体に記録する記録工程
とを有し、
前記調整工程において、前記検出工程で前記人間の特徴を示す画像が含まれると検出された期間に取得された音声信号を処理するときは、前記検出工程で前記人間の特徴を示す画像が含まれると検出されていない期間に取得された音声信号を処理するときよりも前記増幅率の変化速度を速くする
ことを特徴とする音声処理方法。
【請求項１３】
画像信号を取得する画像取得工程と、
前記画像取得工程で得られた画像信号に基づいて動画信号を生成する生成工程と、
前記画像取得工程で得られた画像信号に人間の特徴を示す画像が含まれるか否かを検出する検出工程と、
音声信号を取得する音声取得工程と、
前記音声信号に応じた増幅率で前記音声信号のレベルを調整する調整工程と、
前記生成工程で生成された動画信号と、前記調整工程で調整された音声信号とを関連付けて記録媒体に記録する記録工程
とを有し、
前記調整工程において、前記検出工程で前記人間の特徴を示す画像が含まれると検出されていない期間に取得された音声信号を処理するときは、前記検出工程で前記人間の特徴を示す画像が含まれると検出されている期間に取得された音声信号を処理するときよりも前記増幅率の変化速度を遅くする
ことを特徴とする音声処理方法。
【請求項１４】
コンピュータを請求項１から９のいずれか１項に記載の各手段として動作させるためのコンピュータプログラム。
【手続補正２】
【補正対象書類名】図面
【補正対象項目名】図３
【補正方法】変更
【補正の内容】
【図３】
2011124850.tif 000001
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
ズームレンズ、フォーカスレンズ、絞りの少なくともいずれかを含む光学系を介して入射する光に応じた電荷に基づく画像信号を出力する撮像手段と、
前記光学系を駆動しながら、前記撮像手段の電荷蓄積を行うように制御する制御手段と、
前記光学系の光学特性を、前記光学系の焦点距離、フォーカスレンズ位置、絞り値の少なくともいずれかを含む、複数の光学パラメータについて記憶した記憶手段と、
前記光学系を駆動している間の複数の時刻における光学パラメータを取得する取得手段と、
前記複数の時刻と、該複数の時刻に取得された複数の前記光学パラメータとの関数に基づいて、前記撮像手段の電荷蓄積期間の開始時刻と終了時刻とにおける光学パラメータを算出する算出手段と、
前記算出手段により算出された光学パラメータと、前記取得手段により取得された前記電荷蓄積期間の間の時刻における光学パラメータとに対応する複数の光学特性を前記記憶手段から読み出す読み出し手段と、
前記読み出した複数の光学特性を合成する合成手段と、
前記画像信号を画素ごとに補正する補正手段と、
前記合成された光学特性から、前記補正手段による補正対象の画素の像高に対応した光学補正値を生成する生成手段とを有し、
前記補正手段は、前記生成手段により生成された光学補正値を用いて補正することを特徴とする撮像装置。
【請求項２】
前記合成手段は、前記複数の光学特性を平均することにより合成することを特徴とする請求項１に記載の撮像装置。
【請求項３】
前記合成手段は、前記複数の光学特性に対応する前記複数の光学パラメータを取得した時刻間の長さに応じて重み付け合成することを特徴とする請求項１に記載の撮像装置。
【請求項４】
前記取得手段は、前記光学系の駆動を開始してから予め決められた時間の経過後に、光学パラメータを取得することを特徴とする請求項１乃至３のいずれか１項に記載の撮像装置。
【請求項５】
前記複数の時刻は、前記光学系を駆動している間に予め決められた光学パラメータとなった時刻であることを特徴とする請求項１乃至３のいずれか１項に記載の撮像装置。
【請求項６】
ズームレンズ、フォーカスレンズ、絞りの少なくともいずれかを含む光学系を介して入射する光に応じた電荷に基づく画像信号を出力する撮像手段と、前記光学系を駆動しながら、前記撮像手段の電荷蓄積を行うように制御する制御手段と、前記光学系の光学特性を、前記光学系の焦点距離、フォーカスレンズ位置、絞り値の少なくともいずれかを含む、複数の光学パラメータについて記憶した記憶手段とを有する撮像装置の制御方法であって、
取得手段が、前記光学系を駆動している間の複数の時刻における光学パラメータを取得する取得工程と、
算出手段が、前記複数の時刻と、該複数の時刻に取得された複数の前記光学パラメータとの関数に基づいて、前記撮像手段の電荷蓄積期間の開始時刻と終了時刻とにおける光学パラメータを算出する算出工程と、
読み出し手段が、前記算出工程で算出された光学パラメータと、前記取得工程で取得された前記電荷蓄積期間の間の時刻における光学パラメータとに対応する複数の光学特性を前記記憶手段から読み出す読み出し工程と、
合成手段が、前記読み出した複数の光学特性を合成する合成工程と、
補正手段が、前記画像信号を画素ごとに補正する補正工程と、
生成手段が、前記合成された光学特性から、前記補正工程による補正対象の画素の像高に対応した光学補正値を生成する生成工程とを有し、
前記補正工程では、前記生成工程で生成された光学補正値を用いて補正することを特徴とする撮像装置の制御方法。
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
撮像手段と、
メモリと、
前記撮像手段により得られた画像データを処理する画像処理手段と、
前記画像処理手段により処理された画像データを圧縮し、圧縮された画像データを出力する圧縮手段と、
前記画像処理手段により処理された画像データを前記メモリの第１の領域に書き込むと共に、前記処理された画像データを前記メモリから読み出して前記圧縮手段に出力する制御手段と、
前記圧縮手段により圧縮された画像データを記録媒体に記録する記録手段とを備え、
前記制御手段は、前記圧縮手段により圧縮された画像データを、１画面の圧縮画像データのサイズよりも小さいサイズの、前記メモリにおける第２の領域に書き込み、前記メモリへの前記圧縮された画像データの書き込みと並列に、１画面の圧縮画像データのサイズよりも小さい所定のサイズを単位として、前記メモリから前記圧縮された画像データを読み出して前記記録手段に出力することを特徴とする撮像装置。
【請求項２】
前記第２の領域は、それぞれが前記所定のサイズの複数の記憶領域を含み、前記制御手段は、前記複数の記憶領域を順次、書き込み状態と読み出し状態に切り替えることにより、前記メモリへの前記圧縮された画像データの書き込みと並列に、前記メモリから前記圧縮された画像データを読み出して前記記録手段に出力することを特徴とする請求項１に記載の撮像装置。
【請求項３】
前記制御手段は、前記複数の記憶領域のうちの一つの記憶領域に前記所定のサイズの圧縮された画像データの書き込みを終了したことに応じて、他の記憶領域に前記圧縮手段からの前記圧縮された画像データを書き込むように制御するとともに、前記他の記憶領域への前記圧縮された画像データの書き込みと並列に、前記一つの記憶領域から前記圧縮された画像データを読み出して前記記録手段に出力することを特徴とする請求項２に記載の撮像装置。
【請求項４】
前記制御手段は、前記撮像手段からの画像データを、複数画面の前記撮像手段からの画像データを記憶可能なサイズの、前記メモリにおける第３の領域に書き込むと共に、前記第３の領域から読み出した画像データを前記画像処理手段に出力することを特徴とする請求項１に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮像装置に関する。
【手続補正４】
【補正対象書類名】明細書
【補正対象項目名】０００６
【補正方法】変更
【補正の内容】
【０００６】
上記課題を解決するための、本発明においては、撮像手段と、メモリと、前記撮像手段により得られた画像データを処理する画像処理手段と、前記画像処理手段により処理された画像データを圧縮し、圧縮された画像データを出力する圧縮手段と、前記画像処理手段により処理された画像データを前記メモリの第１の領域に書き込むと共に、前記処理された画像データを前記メモリから読み出して前記圧縮手段に出力する制御手段と、前記圧縮手段により圧縮された画像データを記録媒体に記録する記録手段とを備え、前記制御手段は、前記圧縮手段により圧縮された画像データを、１画面の圧縮画像データのサイズよりも小さいサイズの、前記メモリにおける第２の領域に書き込み、前記メモリへの前記圧縮された画像データの書き込みと並列に、１画面の圧縮画像データのサイズよりも小さい所定のサイズを単位として、前記メモリから前記圧縮された画像データを読み出して前記記録手段に出力する構成とした。
【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
植物精油及び／又はその成分による生物忌避作用が付与された燃料電池。
【請求項２】
前記植物精油は、オレンジフラワー油、ゼラニウム油、タイムホワイト油、タイムレッド油、ナツメグ油、パチョウリ油、パルマローザ油、ビターオレンジ油、レモングラス油、キンモクセイ油、ゴマ油、シナモンリーフ油、シナモンバーク、カシア、セロリー種子油、トルーバルサム、ペルーバルサム、オークモス、サンダルウッド油、スペアミント油、ローレル油、ガーリック油、ココナッツ油、ジル油（イノンド油）、バーチ油、ペニーロイヤル油、ニーム油、ベチバー油、エレミ油、バンレイシ科植物（Xylopia aethiopica）の種子抽出物、アオガンピ（Wiskstroemia retusa A. Gray）抽出物、ショウガ科植物（Aframomum melegueta）の種子抽出物から選択される一以上である請求項１記載の燃料電池。
【請求項３】
前記植物精油が、燃料中に含有されている請求項２記載の燃料電池。
【請求項４】
前記植物精油が、筐体の少なくとも一部に処理されている請求項２記載の燃料電池。
【請求項５】
生物的栄養源となり得る化合物を燃料とする請求項３又は４記載の燃料電池。
【手続補正２】
【補正対象書類名】明細書
【補正対象項目名】０００８
【補正方法】変更
【補正の内容】
【０００８】
上記課題解決のため、本発明は、植物精油及び／又はその成分による生物忌避作用を付与された燃料電池を提供する。
植物精油による生物忌避作用は、植物精油を燃料中に含有させることにより、あるいは筐体の少なくとも一部に処理することにより付与することができる。
植物精油としては、オレンジフラワー油、ゼラニウム油、タイムホワイト油、タイムレッド油、ナツメグ油、パチョウリ油、パルマローザ油、ビターオレンジ油、レモングラス油、キンモクセイ油、ゴマ油、シナモンリーフ油、シナモンバーク、カシア、セロリー種子油、トルーバルサム、ペルーバルサム、オークモス、サンダルウッド油、スペアミント油、ローレル油、ガーリック油、ココナッツ油、ジル油（イノンド油）、バーチ油、ペニーロイヤル油、ニーム油、ベチバー油、エレミ油、バンレイシ科植物（Xylopia aethiopica）の種子抽出物、アオガンピ（Wiskstroemia retusa A. Gray）抽出物、ショウガ科植物（Aframomum melegueta）の種子抽出物から選択される一以上を用いることができる。
この燃料電池では、特に生物的栄養源となり得る化合物を燃料とした際、燃料溶液の液漏れが生じた場合にも、植物精油による生物忌避作用によって漏れ出た燃料溶液に昆虫類が群がってくることを効果的に抑止できる。
【手続補正３】
【補正対象書類名】明細書
【補正対象項目名】００３５
【補正方法】変更
【補正の内容】
【００３５】
植物精油の具体例としては、例えば、以下を挙げることができる。オレンジフラワー油、ゼラニウム油、タイムホワイト油、タイムレッド油、ナツメグ油、パチョウリ油、パルマローザ油、ビターオレンジ油、レモングラス油、キンモクセイ油、ゴマ油、シナモンリーフ油、シナモンバーク、カシア、セロリー種子油、トルーバルサム、ペルーバルサム、オークモス、サンダルウッド油、スペアミント油、ローレル油、ガーリック油、ココナッツ油、ジル油（イノンド油）、バーチ油、ペニーロイヤル油、ニーム油、ベチバー油、エレミ油、バンレイシ科植物（Xylopia aethiopica）の種子抽出物、アオガンピ（Wiskstroemia retusa A. Gray）抽出物、ショウガ科植物（Aframomum melegueta）の種子抽出物。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
外部装置が提供する外部アプリケーションを利用可能な情報処理装置であって、
前記外部アプリケーションの操作画面と、現在設定されている設定情報で処理を実行させるためのカスタムボタンを登録するための登録ボタンとを表示部に表示する第１表示制御手段と、
前記登録ボタンが押下されると、前記現在設定されている設定情報を解析し、前記カスタムボタンに関するボタンデータと、前記現在設定されている設定情報を示すアクションデータとを対応付けて記憶する記憶手段と、
前記カスタムボタンの表示が指示されると、前記記憶手段に記憶されている前記ボタンデータに基づき、前記カスタムボタンを前記表示部に表示する第２表示制御手段と
を備えることを特徴とする情報処理装置。
【請求項２】
前記第２表示制御手段は、
前記表示部に表示された前記カスタムボタンが押下されると、前記外部装置に対して、画面情報の提供を要求する要求手段を備えることを特徴とする請求項１に記載の情報処理装置。
【請求項３】
前記第２表示制御手段は、
前記要求手段によって要求した前記画面情報を用いて、前記アクションデータが示す設定情報を反映した前記外部アプリケーションの操作画面を前記表示部に表示することを特徴とする請求項２に記載の情報処理装置。
【請求項４】
前記カスタムボタンを選択可能に表示するとともに、選択された該カスタムボタンを削除する削除ボタンを表示部に表示する第３表示制御手段と、
前記削除ボタンが押下された場合に、選択されている前記カスタムボタンに対応する前記ボタンデータ及び前記アクションデータを前記記憶手段から削除する削除手段と
をさらに備えることを特徴とする請求項１乃至３の何れか１項に記載の情報処理装置。
【請求項５】
前記削除手段は、
前記削除ボタンを押下したユーザが当該カスタムボタンを削除する権限を有し、かつ、該カスタムボタンが使用中でない場合に、対応する前記ボタンデータ及び前記アクションデータを前記記憶手段から削除することを特徴とする請求項４に記載の情報処理装置。
【請求項６】
前記第１表示制御手段は、Ｗｅｂブラウザ機能を用いて前記外部アプリケーションの操作画面を表示することを特徴とする請求項１乃至５のいずれか１項に記載に情報処理装置。
【請求項７】
原稿上の画像を読み取って画像データを生成する生成手段と、
前記生成手段によって生成された画像データを印刷する印刷手段と
を更に備え、
前記外部アプリケーションは、前記生成手段及び前記印刷手段を用いたコピー処理を実行するためのアプリケーションであることを特徴とする請求項１乃至６のいずれか１項に記載の情報処理装置。
【請求項８】
前記情報処理装置には、内部アプリケーションが備えられ、
前記記憶手段には、前記内部アプリケーションに対応するボタンデータ及びアクションデータが更に記憶されることを特徴とする請求項１乃至７のいずれか１項に記載の情報処理装置。
【請求項９】
外部装置が提供する外部アプリケーションを利用可能な情報処理装置の制御方法であって、
第１表示制御手段が、前記外部アプリケーションの操作画面と、現在設定されている設定情報で処理を実行させるためのカスタムボタンを登録するための登録ボタンとを表示部に表示する第１表示制御ステップと、
記憶手段が、前記登録ボタンが押下されると、前記現在設定されている設定情報を解析し、前記カスタムボタンに関するボタンデータと、前記現在設定されている設定情報を示すアクションデータとを対応付けて記憶する記憶ステップと、
第２表示制御手段が、前記カスタムボタンの表示が指示されると、前記記憶手段に記憶されている前記ボタンデータに基づき、前記カスタムボタンを前記表示部に表示する第２表示制御ステップと
を実行することを特徴とする情報処理装置の制御方法。
【請求項１０】
コンピュータを請求項１乃至８のいずれか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置、その制御方法、及びプログラム
【手続補正３】
【補正対象書類名】明細書
【補正対象項目名】０００１
【補正方法】変更
【補正の内容】
【０００１】
本発明は、外部装置が提供する外部アプリケーションを利用可能な情報処理装置、その制御方法、及びプログラムに関するものである。
【手続補正４】
【補正対象書類名】明細書
【補正対象項目名】０００７
【補正方法】変更
【補正の内容】
【０００７】
本発明は、上述の問題に鑑みて成されたものであり、ユーザの要望に応じてカスタマイズ可能な操作画面において、外部装置が提供するアプリケーションに対応するカスタムボタンを登録する仕組みを提供することを目的とする。
【手続補正５】
【補正対象書類名】明細書
【補正対象項目名】０００８
【補正方法】変更
【補正の内容】
【０００８】
本発明の情報処理装置は、外部装置が提供する外部アプリケーションを利用可能な情報処理装置であって、前記外部アプリケーションの操作画面と、現在設定されている設定情報で処理を実行させるためのカスタムボタンを登録するための登録ボタンとを表示部に表示する第１表示制御手段と、前記登録ボタンが押下されると、前記現在設定されている設定情報を解析し、前記カスタムボタンに関するボタンデータと、前記現在設定されている設定情報を示すアクションデータとを対応付けて記憶する記憶手段と、前記カスタムボタンの表示が指示されると、前記記憶手段に記憶されている前記ボタンデータに基づき、前記カスタムボタンを前記表示部に表示する第２表示制御手段とを備えることを特徴とする。
【手続補正６】
【補正対象書類名】明細書
【補正対象項目名】０００９
【補正方法】変更
【補正の内容】
【０００９】
本発明は、例えば、ユーザの要望に応じてカスタマイズ可能な操作画面において、外部装置が提供するアプリケーションに対応するカスタムボタンを登録することができる。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
被写体の光学像を取得する光学系を移動させるための駆動部を有する撮像装置であって、
前記光学系により取得された被写体の光学像を撮像し画像信号を取得する撮像手段と、
周囲の音声を集音し音声信号を取得する集音手段と、
前記音声信号のレベルを検出する検出手段と、
前記検出手段の検出結果に応じて、前記音声信号のレベルを調整して出力する調整手段と、
前記駆動部を駆動させる駆動手段と、
前記駆動手段が前記駆動部を駆動させているか否かに応じて、前記調整手段を制御する制御手段を有し、
前記制御手段は、所定レベルよりも低いレベルの音声信号が入力された場合、
前記駆動手段が前記駆動部を駆動させているときは、前記駆動手段が前記駆動部を駆動させていないときよりも調整後の音声信号のレベルが低くなるように、前記調整手段を制御することを特徴とする撮像装置。
【請求項２】
前記光学系は、被写体の光学像を拡大及び縮小するためのズームレンズであって、
前記駆動手段は、前記被写体の光学像を拡大するようにまたは縮小ようにズームレンズを移動させ、
前記制御手段は、前記駆動手段が前記ズームレンズを前記被写体の光学像を拡大するように移動させるときと、前記駆動手段が前記ズームレンズを前記被写体の光学像を縮小するように移動させるときとでは、調整後の音声信号のレベルが異なるように、前記調整手段を制御することを特徴とする請求項１記載の撮像装置。
【請求項３】
前記光学系は、被写体の光学像を拡大及び縮小するためのズームレンズであって、
前記駆動手段は、前記被写体の光学像を拡大するようにまたは縮小ようにズームレンズを移動させ、
前記制御手段は、前記駆動手段が前記ズームレンズを前記被写体の光学像を拡大するように移動させるときは、前記駆動手段が前記ズームレンズを前記被写体の光学像を縮小するように移動させるときよりも、調整後の音声信号のレベルが低くなるように、前記調整手段を制御することを特徴とする請求項２記載の撮像装置。
【請求項４】
前記光学系は、被写体の光学像を拡大及び縮小するためのズームレンズであって、
前記駆動手段は、前記被写体の光学像を拡大するようにまたは縮小ようにズームレンズを移動させ、
前記制御手段は、前記駆動手段が前記ズームレンズを前記被写体の光学像を縮小するように移動させるときは、前記駆動手段が前記ズームレンズを前記被写体の光学像を拡大するように移動させるときよりも、調整後の音声信号のレベルが低くなるように、前記調整手段を制御することを特徴とする請求項２記載の撮像装置。
【請求項５】
前記調整手段は、前記検出手段の検出結果に応じた値を前記音声信号に乗じることで、前記音声信号のレベルを調整して出力し、
前記制御手段は、前記検出手段の検出結果が低くなるにつれて、前記駆動手段が駆動部を駆動させているときにおける前記検出手段の検出結果に応じた値と、前記駆動手段が駆動部を駆動させていないときにおける前記検出手段の検出結果に応じた値との差が開いていくように前記調整手段を制御することを特徴とする請求項１から４のいずれか１項記載の撮像装置。
【請求項６】
前記制御手段は、前記検出手段の検出結果が所定の値よりも低い場合は、前記駆動手段が駆動部を駆動させているときは、前記駆動手段が駆動部を駆動させていないときに比べ、前記音声信号のレベルをより小さいレベルに調整して出力するように前記調整手段を制御することを特徴とする請求項１から５のいずれか１項記載の撮像装置。
【請求項７】
前記制御手段は、前記検出手段の検出結果が所定の値よりも高い場合は、前記駆動手段が駆動部を駆動させているときは、前記音声信号のレベルを前記駆動手段が駆動部を駆動させていないときと同じレベルに調整して出力するように前記調整手段を制御することを特徴とする請求項１から６のいずれか１項記載の撮像装置。
【請求項８】
前記駆動部は、第１及び第２の駆動部であって、
前記駆動手段は、第１及び第２の駆動部を駆動させ、
前記制御手段は、前記検出手段の検出結果が低くなるにつれて、前記駆動手段が前記第１の駆動部を駆動させているときは、前記第２の駆動部を駆動させているときに比べ、前記音声信号のレベルをより小さいレベルに調整して出力するように前記調整手段を制御することを特徴とする請求項１から７のいずれか１項記載の撮像装置。
【請求項９】
前記制御手段は、前記駆動手段が前記第１の駆動部と第２の駆動部とを駆動させているときは、前記音声信号のレベルを前記駆動手段が前記第１の駆動部を駆動させているときと同じレベルに調整して出力するように前記調整手段を制御することを特徴とする請求項８記載の撮像装置。
【請求項１０】
前記第１の駆動部が駆動することで発生する音声のレベルは、前記第２の駆動部が駆動することで発生する音声のレベルより大きいことを特徴とする請求項９記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮像装置に関する。
【手続補正４】
【補正対象書類名】明細書
【補正対象項目名】０００５
【補正方法】変更
【補正の内容】
【０００５】
そこで、本発明は、駆動部の駆動中に発生する駆動ノイズを低減しつつも、ユーザに違和感を与えない音声信号を取得することができる撮像装置を提供することを目的とする。
【手続補正５】
【補正対象書類名】明細書
【補正対象項目名】０００６
【補正方法】変更
【補正の内容】
【０００６】
本発明の撮像装置は、かかる目的を達成するために、被写体の光学像を取得する光学系を移動させるための駆動部を有する撮像装置であって、前記光学系により取得された被写体の光学像を撮像し画像信号を取得する撮像手段と、周囲の音声を集音し音声信号を取得する集音手段と、前記音声信号のレベルを検出する検出手段と、前記検出手段の検出結果に応じて、前記音声信号のレベルを調整して出力する調整手段と、前記駆動部を駆動させる駆動手段と、前記駆動手段が前記駆動部を駆動させているか否かに応じて、前記調整手段を制御する制御手段を有し、前記制御手段は、所定レベルよりも低いレベルの音声信号が入力された場合、前記駆動手段が前記駆動部を駆動させているときは、前記駆動手段が前記駆動部を駆動させていないときよりも調整後の音声信号のレベルが低くなるように前記調整手段を制御する構成とした。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
デジタル放送信号を受信する放送受信装置であって、  前記デジタル放送信号を介して送信される放送番組に係る映像データに所定の映像処理を施す映像処理手段と、
前記デジタル放送信号を介して配信される前記放送番組に関連付けされたアプリケーションに係る所定の描画処理を実行して、前記アプリケーションに係るグラフィクスデータを生成するグラフィクス処理手段と、
前記放送番組に係る映像データと、前記放送番組に関連付けされたアプリケーションに係るグラフィクスデータとを出力する出力手段と、
前記グラフィクス処理手段による前記描画処理に要する時間に基づいて、前記グラフィクス処理手段による前記描画処理の実行開始を遅延させる制御手段と、を備えることを特徴とする放送受信装置。
【請求項２】
前記制御手段は、前記グラフィクス処理手段による前記描画処理に要する時間と、前記映像処理手段による前記映像処理に要する時間との差分に関連する時間分だけ、前記グラフィクス処理手段による前記描画処理の実行開始を遅延させることを特徴とする請求項１記載の放送受信装置。
【請求項３】
前記制御手段は、前記デジタル放送信号を介して送信されるイベント情報に応答して、前記アプリケーションの処理の実行開始を遅延させる請求項１又は２記載の放送受信装置。
【請求項４】
前記制御手段は、前記デジタル放送信号を介して、前記放送番組に関連付けされた時刻情報を取得し、前記アプリケーションからの時刻参照処理に応答して、前記アプリケーションに対して前記時刻情報を遅延させた時刻情報を返すことにより、前記グラフィクス処理手段による前記描画処理の実行開始を遅延させる請求項１又は２記載の放送受信装置。
【請求項５】
前記映像処理手段による前記映像処理に要する時間は、選択された映像モードに応じて予め決められ、また前記グラフィクス処理手段による前記描画処理に要する時間は、前記アプリケーションの種別に応じて予め決められている請求項２乃至４の何れか１項に記載の放送受信装置。
【請求項６】
デジタル放送信号を受信する放送受信装置であって、
前記デジタル放送信号を介して送信される放送番組に係る映像データに所定の映像処理を施す映像処理手段と、
前記デジタル放送信号を介して配信される前記放送番組に関連付けされたアプリケーションに係る所定の描画処理を実行して、前記アプリケーションに係るグラフィクスデータを生成するグラフィクス処理手段と、
前記放送番組に係る映像データと、前記放送番組に関連付けされたアプリケーションに係るグラフィクスデータとを出力する出力手段と、
前記映像処理手段による前記映像処理に要する時間に基づいて、前記グラフィクス処理手段前記グラフィクス処理手段による前記描画処理の実行開始を遅延させる制御手段と、を備えることを特徴とする放送受信装置。
【請求項７】
デジタル放送信号を受信する放送受信装置により実行される放送受信方法であって、
前記デジタル放送信号を介して送信される放送番組に係る映像データに所定の映像処理を施す映像処理ステップと、
前記デジタル放送信号を介して配信される前記放送番組に関連付けされたアプリケーションに係る所定の描画処理を実行して、前記アプリケーションに係るグラフィクスデータを生成するグラフィクス処理ステップと、
前記放送番組に係る映像データと、前記放送番組に関連付けされたアプリケーションに係るグラフィクスデータとを出力する出力ステップと、
前記グラフィクス処理ステップによる前記描画処理に要する時間に基づいて、前記グラフィクス処理ステップによる前記描画処理の実行開始を遅延させる制御ステップと、を有することを特徴とする放送受信方法。
【請求項８】
前記制御ステップは、前記グラフィクス処理ステップによる前記描画処理に要する時間と、前記映像処理ステップによる前記映像処理に要する時間との差分に関連する時間分だけ、前記グラフィクス処理ステップによる前記描画処理の実行開始を遅延させることを特徴とする請求項７記載の放送受信方法。
【請求項９】
前記制御ステップは、前記デジタル放送信号を介して送信されるイベント情報に応答して、前記アプリケーションの処理の実行開始を遅延させる請求項７又は８記載の放送受信方法。
【請求項１０】
前記制御ステップは、前記デジタル放送信号を介して、前記放送番組に関連付けされた時刻情報を取得し、前記アプリケーションからの時刻参照処理に応答して、前記アプリケーションに対して前記時刻情報を遅延させた時刻情報を返すことにより、前記グラフィクス処理ステップによる前記描画処理の実行開始を遅延させる請求項７又は８記載の放送受信方法。
【請求項１１】
前記映像処理ステップによる前記映像処理に要する時間は、選択された映像モードに応じて予め決められ、また前記グラフィクス処理ステップによる前記描画処理に要する時間は、前記アプリケーションの種別に応じて予め決められている請求項８乃至１０の何れか１項に記載の放送受信方法。
【請求項１２】
デジタル放送信号を受信する放送受信装置により実行される放送受信方法であって、
前記デジタル放送信号を介して送信される放送番組に係る映像データに所定の映像処理を施す映像処理ステップと、
前記デジタル放送信号を介して配信される前記放送番組に関連付けされたアプリケーションに係る所定の描画処理を実行して、前記アプリケーションに係るグラフィクスデータを生成するグラフィクス処理ステップと、
前記放送番組に係る映像データと、前記放送番組に関連付けされたアプリケーションに係るグラフィクスデータとを出力する出力ステップと、
前記映像処理ステップによる前記映像処理に要する時間に基づいて、前記グラフィクス処理手段前記グラフィクス処理手段による前記描画処理の実行開始を遅延させる制御ステップと、を有することを特徴とする放送受信方法。
【手続補正２】
【補正対象書類名】明細書
【補正対象項目名】０００６
【補正方法】変更
【補正の内容】
【０００６】
本発明に係る放送受信装置は、デジタル放送を受信する放送受信装置であって、
前記デジタル放送信号を介して送信される放送番組に係る映像データに所定の映像処理を施す映像処理手段と、
前記デジタル放送信号を介して配信される前記放送番組に関連付けされたアプリケーションに係る所定の描画処理を実行して、前記アプリケーションに係るグラフィクスデータを生成するグラフィクス処理手段と、
前記放送番組に係る映像データと、前記放送番組に関連付けされたアプリケーションに係るグラフィクスデータとを出力する出力手段と、
前記グラフィクス処理手段による前記描画処理に要する時間に基づいて、前記グラフィクス処理手段による前記描画処理の実行開始を遅延させる制御手段と、を備えることを特徴とする。
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
表示視差を形成する右眼用画像と左眼用画像とからなる立体動画像データから一連の表示視差分布を一連の立体強度画像として生成する視差検出部と、
前記一連の立体強度画像各々の面内立体強度の最大値を検出する最大値検出部と、
前記最大値の時間変化幅が所定のしきい値を超えたときに、前記一連の立体強度画像のうち、前記しきい値を超えた時間変化幅に対応する立体強度画像群の面内立体強度の時間変化が緩和されるように前記立体動画像データの表示視差を補正する立体強度調整処理を実行する立体強度調整部と、
前記立体動画像データと前記最大値のデータ系列とを所定の記録フォーマットに従って多重化してストリームデータを生成し記憶媒体に格納するストリーム生成部と
を備えることを特徴とする３次元映像生成装置。
【請求項２】
請求項１に記載の３次元映像生成装置であって、
前記ストリームデータは、ＭＰＥＧ−２で規定されるビデオビットストリームを含み、
前記最大値は、前記ビデオビットストリームにおけるシーケンスヘッダとＧＯＰ層との間の拡張領域に埋め込まれる
ことを特徴とする３次元映像生成装置。
【請求項３】
請求項１または２に記載の３次元映像生成装置であって、
前記ストリームデータは、一連のデータブロックからなり、
前記各データブロックに前記最大値が埋め込まれている
ことを特徴とする３次元映像生成装置。
【請求項４】
請求項１から３のうちのいずれか１項に記載の３次元映像生成装置であって、前記ストリーム生成部は、前記時間変化幅が前記しきい値を超えたときの時刻情報を管理テーブルデータに記録することを特徴とする３次元映像生成装置。
【請求項５】
請求項４に記載の３次元映像生成装置であって、前記時刻情報はＰＴＳであることを特徴とする３次元映像生成装置。
【請求項６】
請求項１から５のうちのいずれか１項に記載の３次元映像生成装置であって、ユーザにより設定された立体視条件を記憶する設定条件記憶部をさらに備え、
前記立体強度調整部は、前記立体視条件に基づいて前記立体強度調整処理を実行することを特徴とする３次元映像生成装置。
【請求項７】
請求項６に記載の３次元映像生成装置であって、前記立体視条件は、ユーザの年齢条件を含むことを特徴とする３次元映像生成装置。
【請求項８】
請求項１から７のうちのいずれか１項に記載の３次元映像生成装置であって、前記立体強度調整部は、デジタル放送の番組編成情報に基づいて前記立体強度調整処理を実行することを特徴とする３次元映像生成装置。
【請求項９】
請求項１から８のうちのいずれか１項に記載の３次元映像生成装置であって、シーンチェンジを検出するシーンチェンジ検出部をさらに備え、
前記立体強度調整部は、前記シーンチェンジ検出部により前記シーンチェンジが検出されたときに前記立体強度調整処理を実行することを特徴とする３次元映像生成装置。
【請求項１０】
請求項１から９のうちのいずれか１項に記載の３次元映像生成装置であって、前記立体強度調整部は、有効表示領域のうち中心位置を含む所定範囲に対して前記立体強度調整処理を実行し、前記所定範囲以外の周辺領域に対して前記立体強度調整処理を実行しないことを特徴とする３次元映像生成装置。
【請求項１１】
表示視差を形成する右眼用画像と左眼用画像とからなる立体動画像データから一連の表示視差分布を一連の立体強度画像として生成するステップと、
前記一連の立体強度画像各々の面内立体強度の最大値を検出するステップと、
前記最大値の時間変化幅が所定のしきい値を超えたことを検出するステップと、
前記時間変化幅が前記しきい値を超えたことが検出されたとき、前記一連の立体強度画像のうち、前記しきい値を超えた時間変化幅に対応する立体強度画像群の面内立体強度の時間変化が緩和されるように前記立体動画像データの表示視差を補正する立体強度調整処理を実行するステップと、
前記立体動画像データと前記最大値のデータ系列とを所定の記録フォーマットに従って多重化してストリームデータを生成し記憶媒体に格納するステップと
を備えることを特徴とする３次元映像生成方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明の第１の態様による３次元映像生成装置は、表示視差を形成する右眼用画像と左眼用画像とからなる立体動画像データから一連の表示視差分布を一連の立体強度画像として生成する視差検出部と、前記一連の立体強度画像各々の面内立体強度の最大値を検出する最大値検出部と、前記最大値の時間変化幅が所定のしきい値を超えたときに、前記一連の立体強度画像のうち、前記しきい値を超えた時間変化幅に対応する立体強度画像群の面内立体強度の時間変化が緩和するように前記立体動画像データの表示視差を補正する立体強度調整処理を実行する立体強度調整部と、前記立体動画像データと前記最大値のデータ系列とを所定の記録フォーマットに従って多重化してストリームデータを生成し記憶媒体に格納するストリーム生成部とを備えることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の第２の態様による３次元映像生成方法は、表示視差を形成する右眼用画像と左眼用画像とからなる立体動画像データから一連の表示視差分布を一連の立体強度画像として生成するステップと、前記一連の立体強度画像各々の面内立体強度の最大値を検出するステップと、前記最大値の時間変化幅が所定のしきい値を超えたことを検出するステップと、前記時間変化幅が前記しきい値を超えたことが検出されたとき、前記一連の立体強度画像のうち、前記しきい値を超えた時間変化幅に対応する立体強度画像群の面内立体強度の時間変化が緩和するように前記立体動画像データの表示視差を補正する立体強度調整処理を実行するステップと、前記立体動画像データと前記最大値のデータ系列とを所定の記録フォーマットに従って多重化してストリームデータを生成し記憶媒体に格納するステップとを備えることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
受光した光量に応じた量の電荷を蓄積する画素が二次元状に配置された撮像面を有する撮像素子と、
チャージ状態において上記撮像面を遮光していない状態で該撮像面の一端側に退避しており、該チャージ状態から該撮像面の他端側へ走行し、走行後には上記他端側において該撮像面を遮光していない状態で再び退避するメカニカル先幕シャッタと、
上記メカニカル先幕シャッタの走行動作に連動して、該メカニカル先幕シャッタにより遮光されている位置の画素のリセットを行うリセット部と、
チャージ状態において上記撮像面を遮光していない状態で上記一端側に退避しており、該チャージ状態から上記メカニカル先幕シャッタと同一の走行方向に走行し、走行後に該撮像面を遮光する状態を実現するメカニカル後幕シャッタと、
を具備し、
上記撮像素子の露光時間は、上記メカニカル先幕シャッタにより露光が開始されてから、上記メカニカル後幕シャッタにより露光が終了するまでの時間であることを特徴とする撮像装置。
【請求項２】
当該撮像装置はライブビューが可能となるように構成されており、
ライブビュー時に、上記メカニカル先幕シャッタおよび上記メカニカル後幕シャッタをチャージ状態で上記一端側に退避させるシャッタ制御部をさらに具備したことを特徴とする請求項１に記載の撮像装置。
【請求項３】
上記メカニカル先幕シャッタおよびメカニカル後幕シャッタの走行方向に直交する方向の画素配列を水平ラインとしたときに、
上記リセット部は、上記メカニカル先幕シャッタにより遮光されている複数の水平ラインの内の、遮光中心となる水平ラインよりも該メカニカル先幕シャッタの走行方向とは逆方向にオフセットした位置の水平ラインをリセットするように、製造時の調整が行われることを特徴とする請求項１に記載の撮像装置。
【請求項４】
上記リセット部は、複数の水平ラインで構成されるブロック毎に一括してリセットを行うものであり、
上記メカニカル先幕シャッタの走行位置と上記撮像面上の露光開始位置とのずれ量の最大値を△ｘｆｍａｘ、上記リセット部によるブロック毎の一括リセットの、最大ライン数となるブロックの上記走行方向の長さをＬｅｓｆｍａｘ、該メカニカル先幕シャッタの走行特性の最大劣化幅をＬｄｅｌａｙとしたときに、
上記メカニカル先幕シャッタは、上記走行方向の長さＡが次の条件、
Ａ≧２×△ｘｆｍａｘ＋Ｌｅｓｆｍａｘ＋Ｌｄｅｌａｙ
を満たすように構成されたものであることを特徴とする請求項３に記載の撮像装置。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
時分割多重通信方式により基地局装置と端末局装置が無線により通信する無線通信システムにおいて、
前記端末局装置は、複数の無線機を備え、
前記端末局装置側では、前記端末局装置の外部又は内部に、前記端末局装置に備えられた複数の無線機の各々により前記時分割多重通信方式で割り当てられたチャネルを使用して前記基地局装置と通信する処理を制御する制御手段を備えた、
ことを特徴とする無線通信システム。
【請求項２】
前記複数の無線機には同一の識別情報が設定されており、
前記制御手段は、前記複数の無線機のうちの少なくとも１つは制御用とし、他は通信用として制御することを特徴とする、請求項１記載の無線通信システム。
【請求項３】
前記制御手段は、前記複数の無線機と前記基地局装置との間で制御チャネルでの呼接続情報のやり取りが同時に発生しないように制御し、同一の識別番号が設定された前記複数の無線機により別の通信を通信チャネルで行うことを特徴とする、請求項２記載の無線通信システム。
【請求項４】
前記制御手段は、前記複数の無線機のうちの少なくとも１つは一斉通信用の通信チャネルを使用して前記基地局装置と通信するものに割り当てることを特徴とする、請求項２または請求項３記載の無線通信システム。
【手続補正２】
【補正対象書類名】明細書
【補正対象項目名】０００８
【補正方法】変更
【補正の内容】
【０００８】
上記目的を達成するため、本発明では、時分割多重通信方式により基地局装置と端末局装置が無線により通信する無線通信システムにおいて、次のような構成とした。
すなわち、前記端末局装置は、複数の無線機を備える。また、前記端末局装置側では、前記端末局装置の外部又は内部に備えられた制御手段が、前記端末局装置に備えられた複数の無線機の各々により前記時分割多重通信方式で割り当てられたチャネルを使用して前記基地局装置と通信する処理を制御する。
従って、端末局装置により同時に複数の通信を行うことが可能となる。
なお、前記複数の無線機には同一の識別情報が設定されており、前記制御手段は、前記複数の無線機のうちの少なくとも１つは制御用とし、他は通信用として制御することが好ましい。
また、前記制御手段は、前記複数の無線機と前記基地局装置との間で制御チャネルでの呼接続情報のやり取りが同時に発生しないように制御し、同一の識別番号が設定された前記複数の無線機により別の通信を通信チャネルで行うことが好ましい。
さらに、前記制御手段は、前記複数の無線機のうちの少なくとも１つは一斉通信用の通信チャネルを使用して前記基地局装置と通信するものに割り当てることが好ましい。
【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
開口部を有する支持体と、
前記開口部を閉塞するダイアフラムと、
前記ダイアフラムに設けられるとともに、電圧の印加により面内方向に伸縮する圧電体と、を備え、
前記ダイアフラムは、前記開口部に臨む一面側とは反対側の面に、凹状に形成される凹溝部を備え、
前記圧電体は、前記ダイアフラムにおける前記凹溝部の外側に固定されて、前記凹溝部を覆って配置され、前記凹溝部の底面との間に空間を介して対向配置されることを特徴とする超音波トランスデューサー。
【請求項２】
請求項１に記載の超音波トランスデューサーにおいて、
前記圧電体は、前記凹溝部に対向する位置に、前記空間および外部空間を連通する少なくとも１つ以上の連通部を有することを特徴とする超音波トランスデューサー。
【請求項３】
請求項１または請求項２に記載の超音波トランスデューサーと、
第二開口部を有する第二支持体、前記第二開口部を閉塞する第二ダイアフラム、および前記第二ダイアフラム上に積層され、前記第二ダイアフラムの変位を電気信号に変換して出力する第二圧電体を備えた第二超音波トランスデューサーと、
を備えることを特徴とする超音波センサー。
【請求項４】
請求項３に記載の超音波センサーにおいて、
前記超音波トランスデューサーおよび前記第二超音波トランスデューサーは、複数設けられ、二次元アレイ構造に配置されることを特徴とする超音波センサー。
【請求項５】
請求項４に記載の超音波センサーにおいて、
前記超音波トランスデューサーは、前記二次元アレイ構造における中央領域に設けられており、
前記第二超音波トランスデューサーは、前記中央領域の周辺において三箇所以上の領域に設けられており、
前記超音波トランスデューサーと前記第二超音波トランスデューサーとの間の領域に定電位と接続された定電位配線が設けられていることを特徴とする超音波センサー。
【請求項６】
請求項３または請求項５に記載の超音波センサーにおいて、
前記超音波トランスデューサーの前記支持体、および前記第二超音波トランスデューサーの前記第二支持体を構成するセンサーアレイ基板を備えることを特徴とする超音波センサー。
【請求項７】
超音波トランスデューサーの製造方法であって、
基板上にダイアフラム形成用膜を形成するダイアフラム積層工程と、
前記ダイアフラム形成用膜の表面の一部をエッチングにより除去し、前記凹溝部を形成する凹溝形成工程と、
前記凹溝部に、表面が前記ダイアフラム形成用膜の表面と同一平面となる犠牲層を埋める犠牲層埋め込み工程と、
前記凹溝部を覆う前記圧電体を形成する圧電体形成工程と、
前記圧電体に外部空間と前記犠牲層とを連通する連通部を形成する連通部形成工程と、
前記連通部から前記犠牲層を除去する犠牲層除去工程と、
前記基板をエッチングして前記開口部を形成し、前記支持体を形成する支持体形成工程と、
を備えたことを特徴とする超音波トランスデューサーの製造方法。
【請求項８】
超音波センサーの製造方法であって、
請求項７に記載の超音波トランスデューサーの製造方法により前記超音波トランスデューサーを製造する第一製造工程と、
基板上に前記第二ダイアフラムを形成する第二ダイアフラム積層工程、
前記第二ダイアフラム上に前記第二圧電体を積層形成する第二圧電体形成工程、
および、前記基板をエッチングして前記第二開口部を形成し、前記第二支持体を形成する第二支持体形成工程、を備える第二製造工程と、
を具備したことを特徴とする超音波センサーの製造方法。
【請求項９】
請求項８に記載の超音波センサーの製造方法において、
前記ダイアフラム積層工程および前記第二ダイアフラム積層工程、前記圧電体形成工程および前記第二圧電体形成工程、前記支持体形成工程および前記第二支持体形成工程は、それぞれ同一工程であることを特徴とする超音波センサーの製造方法。